(57)【要約】  本発明は、WEBページの検索結果の表示の切り替えをリニアな操作感をもって行うことができるようにしたプログラム、情報処理装置、情報処理方法に関する。WEBページの検索結果を表すページの各文字を縮小することによって生成された縮小ページがWEBページの表示部とは異なる位置に表示される。縮小ページに表示された各WEBページのタイトルがマウスのホイールの回転操作に応じて順次選択され、選択されたタイトルのリンク先となるWEBページがWEBページの表示部に順次表示される。１ページ目の縮小ページに表示される１００個目のWEBページのタイトルが選択された状態でホイールの回転操作が行われた場合、１ページ目の縮小ページに替えて２ページ目の縮小ページが表示され、WEBページの表示部には、検索結果として挙げられた１０１個目のWEBページが表示される。本発明は、パーソナルコンピュータに適用することができる。
2009150731.tif 000002
【特許請求の範囲】
【請求項１】
WEBページの表示に用いられるファイルをサーバから取得し、
取得した前記ファイルによって表示されるWEBページに任意のアルゴリズムによって変更を加えた変更後のページを、WEBページの表示領域である第１の領域と異なる領域である第２の領域に表示させ、
前記第２の領域に表示させた前記変更後のページに含まれる、リンク先が設定されている要素を入力装置に対するユーザの一定方向の操作に応じて順次注目し、注目している要素に対して設定されているリンク先のWEBページを前記第１の領域に順次表示させ、
前記変更後のページに含まれる要素のうちの最後の要素に注目し終えた場合、前記変更後のページに替えて、前記変更後のページに続く他の変更後のページを前記サーバから取得した前記ファイルに基づいて前記第２の領域に表示させる
ステップを含む処理をコンピュータに実行させるプログラム。
【請求項２】
前記他の変更後のページを前記第２の領域に表示させたとき、前記他の変更後のページに含まれる要素のうちの任意の要素に注目し、注目している要素に対して設定されているリンク先のWEBページを前記第１の領域に表示させる
請求項１に記載のプログラム。
【請求項３】
前記他の変更後のページを表示させるために用いられる前記ファイルは、前記変更後のページを表示させるために用いられる前記ファイルを取得したWEBブラウザのインスタンスと異なるインスタンスが実行されることにより取得される
請求項１または２に記載のプログラム。
【請求項４】
前記入力装置に対するユーザの一定方向の操作に応じて注目する要素の種類は、所定のサーバから送信されてきた制御情報により設定される
請求項１，２、または３に記載のプログラム。
【請求項５】
WEBページの表示に用いられるファイルをサーバから取得する取得手段と、
前記取得手段により取得された前記ファイルによって表示されるWEBページに任意のアルゴリズムによって変更を加えた変更後のページを、WEBページの表示領域である第１の領域と異なる領域である第２の領域に表示させる表示制御手段と、
前記表示制御手段により前記第２の領域に表示された前記変更後のページに含まれる、リンク先が設定されている要素を入力装置に対するユーザの一定方向の操作に応じて順次注目し、注目している要素に対して設定されているリンク先のWEBページを前記第１の領域に順次表示させるWEBページ表示制御手段と
を備え、
前記表示制御手段は、前記変更後のページに含まれる要素のうちの最後の要素に注目し終えた場合、前記変更後のページに替えて、前記変更後のページに続く他の変更後のページを前記サーバから取得した前記ファイルに基づいて前記第２の領域に表示させる
情報処理装置。
【請求項６】
WEBページの表示に用いられるファイルをサーバから取得し、
取得した前記ファイルによって表示されるWEBページに任意のアルゴリズムによって変更を加えた変更後のページを、WEBページの表示領域である第１の領域と異なる領域である第２の領域に表示させ、
前記第２の領域に表示させた前記変更後のページに含まれる、リンク先が設定されている要素を入力装置に対するユーザの一定方向の操作に応じて順次注目し、注目している要素に対して設定されているリンク先のWEBページを前記第１の領域に順次表示させ、
前記変更後のページに含まれる要素のうちの最後の要素に注目し終えた場合、前記変更後のページに替えて、前記変更後のページに続く他の変更後のページを前記サーバから取得した前記ファイルに基づいて前記第２の領域に表示させる
ステップを含む情報処理方法。
【発明の詳細な説明】
【技術分野】
【０００１】
本発明は、プログラム、情報処理装置、情報処理方法に関し、特に、WEBページの検索結果の表示の切り替えをリニアな操作感をもって行うことができるようにしたプログラム、情報処理装置、情報処理方法に関する。
【背景技術】
【０００２】
近年、WEBページの検索をより簡単に行うことができるようになってきている。ユーザは、Internet Explorer（商標）などのWEBブラウザによって表示されるウインドウの上方のツールバーに設けられる入力ボックスにキーワードを入力し、検索の開始を指示することによって、検索サイトのトップページを経由することなく、検索結果の一覧を直接表示させることができる。【０００３】
特許文献１には、リンク元WEBページ表示部に表示されたリンクがクリックされることに応じて、リンク先のWEBページを、リンク元WEBページ表示部の隣に設けられているリンク先WEBページ表示部に表示させる技術が開示されている。【０００４】
【特許文献１】特開２００６−９２４４９号公報
【発明の開示】
【発明が解決しようとする課題】
【０００５】
検索自体は容易になってきているものの、検索結果として多くのWEBページが挙げられた場合、目的のWEBページを探すための操作が煩雑である。【０００６】
１ページにタイトルや検索サマリーなどが表示されるWEBページの数は１００個などの単位毎とされているから、何百ものWEBページが検索結果として挙げられ、１００個目などの、１ページに掲載される最後のWEBページの情報を確認し終えた場合、ユーザは、それに続く検索結果を確認するためには、ページの最後の位置に表示される「次のページ」の文字を選択するなどの操作を行う必要がある。【０００７】
「次のページ」の文字を選択する操作が行われたとき、１０１個目以降のWEBページの情報が掲載されるページが表示され、ユーザはそれ以降、１個目から１００個目までのWEBページの情報を見ていたときと同様に、マウスのホイールの回転操作などを行うことでWEBページの情報を見ることができるようになるものの、「次のページ」の文字を選択して行うページの切り替え操作によって、操作の一連性が損なわれる。【０００８】
本発明はこのような状況に鑑みてなされたものであり、WEBページの検索結果の表示の切り替えをリニアな操作感をもって行うことができるようにするものである。
【課題を解決するための手段】
【０００９】
本発明の一側面のプログラム、または情報処理方法は、WEBページの表示に用いられるファイルをサーバから取得し、取得した前記ファイルによって表示されるWEBページに任意のアルゴリズムによって変更を加えた変更後のページを、WEBページの表示領域である第１の領域と異なる領域である第２の領域に表示させ、前記第２の領域に表示させた前記変更後のページに含まれる、リンク先が設定されている要素を入力装置に対するユーザの一定方向の操作に応じて順次注目し、注目している要素に対して設定されているリンク先のWEBページを前記第１の領域に順次表示させ、前記変更後のページに含まれる要素のうちの最後の要素に注目し終えた場合、前記変更後のページに替えて、前記変更後のページに続く他の変更後のページを前記サーバから取得した前記ファイルに基づいて前記第２の領域に表示させるステップを含む。【００１０】
前記他の変更後のページを前記第２の領域に表示させたとき、前記他の変更後のページに含まれる要素のうちの任意の要素に注目し、注目している要素に対して設定されているリンク先のWEBページを前記第１の領域に表示させることができる。【００１１】
前記他の変更後のページを表示させるために用いられる前記ファイルが、前記変更後のページを表示させるために用いられる前記ファイルを取得したWEBブラウザのインスタンスと異なるインスタンスが実行されることにより取得されるようにすることができる。【００１２】
前記入力装置に対するユーザの一定方向の操作に応じて注目する要素の種類が、所定のサーバから送信されてきた制御情報により設定されるようにすることができる。【００１３】
本発明の一側面の情報処理装置は、WEBページの表示に用いられるファイルをサーバから取得する取得手段と、前記取得手段により取得された前記ファイルによって表示されるWEBページに任意のアルゴリズムによって変更を加えた変更後のページを、WEBページの表示領域である第１の領域と異なる領域である第２の領域に表示させる表示制御手段と、前記表示制御手段により前記第２の領域に表示された前記変更後のページに含まれる、リンク先が設定されている要素を入力装置に対するユーザの一定方向の操作に応じて順次注目し、注目している要素に対して設定されているリンク先のWEBページを前記第１の領域に順次表示させるWEBページ表示制御手段とを備え、前記表示制御手段は、前記変更後のページに含まれる要素のうちの最後の要素に注目し終えた場合、前記変更後のページに替えて、前記変更後のページに続く他の変更後のページを前記サーバから取得した前記ファイルに基づいて前記第２の領域に表示させる。【００１４】
本発明の一側面においては、WEBページの表示に用いられるファイルがサーバから取得され、取得された前記ファイルによって表示されるWEBページに任意のアルゴリズムによって変更を加えた変更後の縮小ページが、WEBページの表示領域である第１の領域と異なる領域である第２の領域に表示される。また、前記第２の領域に表示させた前記変更後のページに含まれる、リンク先が設定されている要素が入力装置に対するユーザの一定方向の操作に応じて順次注目され、注目されている要素に対して設定されているリンク先のWEBページが前記第１の領域に順次表示される。前記変更後のページに含まれる要素のうちの最後の要素に注目し終えた場合、前記変更後のページに替えて、前記変更後のページに続く他の変更後のページが前記サーバから取得された前記ファイルに基づいて前記第２の領域に表示される。
【発明の効果】
【００１５】
本発明の一側面によれば、WEBページの検索結果の表示の切り替えをリニアな操作感をもって行うことができる。
【図面の簡単な説明】
【００１６】
【図１】本発明の一実施形態に係る通信システムの構成例を示す図である。
【図２】PCのディスプレイに表示される画面の例を示す図である。
【図３】WEBページの検索結果を表すページの具体例を示す図である。
【図４】縮小ページの表示の具体例を示す図である。
【図５】縮小ページの表示の切り替えの例を示す図である。
【図６】縮小ページの表示の切り替えの他の例を示す図である。
【図７】PCの機能構成例を示すブロック図である。
【図８】図１の通信システムにおいて行われる処理について説明するフローチャートである。
【符号の説明】
【００１７】
１  PC，  ２  検索サーバ，  ３  WEBサーバ，  ４  ネットワーク，  ５１  検索部，  ５２  縮小ページ表示制御部，  ５３  WEBページ表示制御部
【発明を実施するための最良の形態】
【００１８】
図１は、本発明の一実施形態に係る通信システムの構成例を示す図である。【００１９】
図１に示される通信システムは、情報処理装置としてのPC(Personal Computer)１、検索サーバ２、およびWEBサーバ３が、インターネットなどよりなるネットワーク４を介して接続されることによって構成される。PCや各サーバの数は任意である。【００２０】
検索サーバ２は、キーワードなどに基づくWEBページの検索機能を提供するサーバである。検索サーバ２は、PC１からネットワーク４を介して送信されてきた検索要求に基づいてWEBページの検索を行い、検索結果を送信する。PC１から検索サーバ２に対する検索要求にはキーワードが含まれ、一方、検索サーバ２からPC１に対する検索結果には、検索された各WEBページのタイトル、検索サマリー（要約）、URL(Uniform Resource Locator)などの情報が含まれる。【００２１】
WEBサーバ３は、WEBページを管理するサーバであり、インターネットプロバイダなどによって管理される。WEBサーバ３は、PC１から要求されたWEBページを表示するためのHTML(Hyper Text Markup Language)ファイルなどをPC１に送信する。【００２２】
PC１はWEBページの閲覧を行うユーザにより利用される装置であり、このPC１にはWEBブラウザが搭載される。WEBページの閲覧を行うとき、ユーザは、例えば、WEBブラウザを起動させて検索サーバ２にアクセスし、検索ページをディスプレイに表示させる。また、ユーザは、検索ページの入力欄にキーボードを操作するなどしてキーワードを入力し、そのキーワードと関連のあるWEBページの検索を検索サーバ２に行わせる。【００２３】
検索サーバ２による検索結果は、ネットワーク４を介してPC１に送信され、WEBブラウザによって検索結果が表示される。検索結果のページには、１００個などの所定の数のWEBページ毎に、各WEBページのタイトル、検索サマリー、URLなどが並べて表示される。ユーザは、タイトルや検索サマリーの内容を確認して所定のWEBページのタイトルなどを選択することによって、選択したWEBページをWEBブラウザに表示させ、閲覧することができる。【００２４】
また、PC１には、WEBブラウザと連動し、検索サーバ２により検索されたWEBページの検索結果を表すページに任意のアルゴリズムによって変更を加えた変更後のページを表示させるソフトウエアが搭載されている。変更後のページに含まれる、リンク先が設定されている要素がユーザにより選択されたとき、WEBサーバ３に対するアクセスが行われ、リンク先のWEBページがWEBブラウザにより表示される。【００２５】
以下、任意のアルゴリズムによって加えられる変更がWEBページの縮小である場合について主に説明し、WEBページの検索結果を表すページを縮小させて得られた縮小後のページを単に縮小ページという。また、縮小ページを表示させるソフトウエアを縮小ページ表示用ソフトウエアという。縮小ページ表示用ソフトウエアは、単独のアプリケーションとして用意するのではなく、WEBブラウザのプラグインの形として用意することも可能である。【００２６】
図２は、PC１のディスプレイに表示される画面の例を示す図である。【００２７】
図２の例においては、WEBブラウザのウインドウであるブラウザウインドウ１１が右側に表示され、縮小ページ表示用ソフトウエアのウインドウであるウインドウ１２が左側に表示されている。【００２８】
ブラウザウインドウ１１の上方には、WEBページのURLが表示されるURL表示欄の他に、１つ前のWEBページに戻るときに操作されるボタンや１つ先のWEBページに進むときに操作されるボタンなどが設けられ、その下に、WEBページの表示領域であるWEBページ表示部１１Ａが設けられる。WEBページ表示部１１Ａの右側には、表示範囲をスライドさせるときに用いられるスライドバー１１Ｂが表示されている。例えば、検索サーバ２から検索結果が取得された直後には、上述した各WEBページのタイトル、検索サマリーなどがWEBページ表示部１１Ａに並べて表示される。WEBページ表示部１１Ａには、WEBページの検索結果の他に各種のWEBページが表示される。【００２９】
ウインドウ１２には縮小ページ表示部１２Ａが設けられ、その右側には、縮小ページの表示範囲をスライドさせるときに用いられるスライドバー１２Ｂが表示されている。このように、縮小ページはWEBページ表示部１１Ａとは異なる領域に表示される。縮小ページ表示部１２Ａは、WEBページ表示部１１Ａと較べて狭い領域であってもよいし、広い領域であってもよい。【００３０】
図３は、WEBページの検索結果を表すページの具体例を示す図である。【００３１】
例えば、キーワード「ABC」に基づいて検索が行われた場合、「ABC」に関連する各WEBページのタイトル、検索サマリー、URLが図３に示されるようにしてWEBページ表示部１１Ａに表示される。【００３２】
図３の例においては、検索結果の１個目のWEBページとして、「アジア放送  Asia Broadcasting Corporation」のWEBページが挙げられ、２個目のWEBページとして「ウェビスタ｜abc.com」のタイトルのWEBページが挙げられている。同様に、「ABC協同組合」、「ABCクッキングいよいよオープン！」、「靴総合サイト｜ABC靴屋」、「青赤山ブックセンタ」の各タイトルのWEBページが順に挙げられている。【００３３】
ユーザは、下線によって強調表示されている、リンク先があることを示す文字上にマウスのカーソルを移動させ、クリックを行うことによって、図３に示される検索結果のページに替えて、リンク先のWEBページを表示させることができる。図３の例においては、タイトルの他に、各WEBページの「キャッシュ」、「関連ページ」の情報にもリンクが張られている。【００３４】
また、ユーザは、スライドバー１１Ｂを用いたり、ブラウザウインドウ１１上にカーソルを移動させた状態でマウスのホイールを回転させたりして表示範囲をスライドさせることによって、図３に示されるものに続く検索結果を表示させることができる。【００３５】
このような検索結果が得られた場合、縮小ページ表示部１２Ａには、図３のページを縮小させることによって得られた、図４に示されるような縮小ページが表示される。縮小ページにも、検索結果の各WEBページのタイトル、検索サマリー、URL、「キャッシュ」、「関連ページ」が要素として含まれている。【００３６】
図４に示されるように、図３のページの各文字の大きさを縮小させることによって縮小ページが生成され、生成された縮小ページが縮小ページ表示部１２Ａに表示される。各文字が同じ縮小率で縮小されるのではなく、検索サマリーの文字がタイトルの文字より高い縮小率で縮小されるといったように、要素の種類に応じて異なる縮小率で縮小されるようにしてもよい。また、単に縮小しただけでは文字がつぶれて読めなくなってしまうことがあることから、ページ全体としては縮小しつつも文字を拡大させるようにしてもよい。この場合、適宜、改行位置の変更やテーブルの分割が行われたりもする。画像が検索結果のページに含まれている場合、画像の縮小率が文字の縮小率より高くなるようにして縮小ページが生成されるようにしてもよいし、画像が省略され、文字だけからなる縮小ページが生成されるようにしてもよい。【００３７】
図４の例においては、検索結果の１個目のWEBページのタイトルである「アジア放送  Asia Broadcasting Corporation」がカーソルＣによって選択され、反転表示されている。「アジア放送  Asia Broadcasting Corporation」の文字に斜線が付されていることは反転表示されていることを表す。この場合、WEBページ表示部１１Ａには、縮小ページの表示に連動して「アジア放送  Asia Broadcasting Corporation」のWEBページが表示される。【００３８】
この状態においてカーソルがウインドウ１２上にあり、所定の量だけ、マウスのホイールを手前方向に回転する操作がユーザにより行われた場合、カーソルＣの表示は、検索結果の２個目のWEBページのタイトルである「ウェビスタ｜abc.com」を選択した状態になるように切り替えられる。WEBページ表示部１１Ａには、「アジア放送  Asia Broadcasting Corporation」のWEBページに替えて、「ウェビスタ｜abc.com」のWEBページが表示される。【００３９】
同様に、「ウェビスタ｜abc.com」が選択されている状態において、さらに所定の量だけ、ホイールを手前方向に回転する操作が行われた場合、カーソルＣの表示は、３個目のWEBページのタイトルである「ABC協同組合」を選択した状態になるように切り替えられる。WEBページ表示部１１Ａには、「ウェビスタ｜abc.com」のWEBページに替えて、「ABC協同組合」のWEBページが表示される。【００４０】
すなわち、検索結果のそれぞれのWEBページの情報には、タイトル以外に「キャッシュ」、「関連ページ」などのリンクが張られている文字があるが、カーソルＣの表示は、これらの「キャッシュ」、「関連ページ」を飛ばして、タイトルだけを選択するようにユーザの操作に応じて切り替えられる。これにより、WEBページ表示部１１Ａには、タイトルの文字に対して設定されているリンク先のWEBページだけが順次表示されることになる。【００４１】
上方、かつ左側にあるものから順に、「キャッシュ」、「関連ページ」も含めて、リンクが張られている文字がユーザによる操作に応じて順次選択されるようにしてもよいし、「キャッシュ」、「関連ページ」だけが選択されるようにしてもよい。どの種類の要素が選択されるようにするのかをユーザが自ら設定することができるようにしてもよいし、所定のサーバから送信されてきた制御情報に従って設定されるようにしてもよい。【００４２】
図５は、縮小ページの表示の切り替えの例を示す図である。【００４３】
検索結果を表すページの各ページに１００個のWEBページの情報が表示されるようになされており、検索結果として１００個以上のWEBページが挙げられた場合、１ページ目の縮小ページには、図５の上方に示されるように１個目から１００個目までのWEBページの情報が掲載される。ユーザは、ホイールの回転操作を行い、表示範囲を切り替えることによって、その１００個目までのWEBページの情報を見ることができる。【００４４】
上述したようにWEBページのタイトルだけを選択するようにカーソルＣの表示が切り替わるようになされており、１００個目のWEBページのタイトルが選択された状態（続けて表示させる要素がなく、WEBページ表示部１１Ａに１００個目のWEBページが表示された状態）で、さらに、ホイールの回転操作が行われた場合、図５の白抜き矢印Ａ１の先に示されるように、縮小ページ表示部１２Ａには、１個目から１００個目までのWEBページの情報が掲載される縮小ページに替えて、１０１個目から２００個目までのWEBページの情報が掲載される２ページ目の縮小ページが表示される。【００４５】
２ページ目の縮小ページが表示された直後、その縮小ページにおいては１０１個目のWEBページのタイトルがカーソルＣにより選択された状態となり、WEBページ表示部１１Ａには１０１個目の検索結果のWEBページが表示される。【００４６】
すなわち、ユーザは、１ページ目の縮小ページの情報を見終わった後、それまでの操作と同様にホイールの回転操作を続けることで、２ページ目の縮小ページを表示させることができる。また、WEBページ表示部１１Ａに１０１個目以降のWEBページを表示させることができる。【００４７】
通常、WEBブラウザにおいては、１個目から１００個目までのWEBページの情報が掲載されている１ページ目の検索結果のページに替えて、それ以降のWEBページの情報が掲載されている２ページ目の検索結果のページを表示させる場合、１ページ目の検索結果のページの終わりの位置に表示されている「次のページ」などの文字上にカーソルを移動させてクリックを行う必要があるが、そのような操作を行うことなく、リニアな操作感をもって、検索結果のページとWEBページの表示を切り替えることが可能になる。【００４８】
例えば、１ページ目の縮小ページの表示中の所定のタイミングで、１ページ目の縮小ページの生成元になったHTMLファイルをWEBサーバ２から取得するのに用いられたWEBブラウザのインスタンスとは異なるインスタンスが自動的に起動し、２ページ目の検索結果のページが取得され、２ページ目の縮小ページがその表示前にあらかじめ生成される。これにより、表示の切り替えをよりスムーズに行うことが可能になる。異なるインスタンスが自動的に起動するタイミングを、１００個目の検索結果のWEBページのタイトルがカーソルＣにより選択されたタイミングとすることも可能である。【００４９】
２ページ目の縮小ページが表示されたときに縮小ページ表示部１２Ａの上方にタブが表示され、そのタブを用いて、１ページ目の縮小ページを表示させるのか、２ページ目の縮小ページを表示させるのかを切り替えることができるようにしてもよい。【００５０】
また、ページ毎に縮小ページの表示が切り替えられるのではなく、１ページ目の下に続けて２ページ目が表示されるといったように、各縮小ページが続けて表示されるようにしてもよい。さらに、２ページ目が表示された直後にカーソルＣにより選択された状態になる要素を１０１個目のWEBページのタイトルなどの２ページ目の最初の要素とするのではなく、任意の位置の要素とするようにしてもよい。【００５１】
図６は、縮小ページの表示の切り替えの他の例を示す図である。【００５２】
図６の例においては、１個目から１００個目までの検索結果のWEBページの情報が掲載される１ページ目の縮小ページの下に続けて、１０１個目から２００個目までの検索結果のWEBページの情報が掲載される２ページ目の縮小ページが配置されている。また、２ページ目の縮小ページの下に続けて、２０１個目から３００個目までの検索結果のWEBページの情報が掲載される３ページ目の縮小ページが配置されている。点線Ｌで示す範囲は、縮小ページ表示部１２Ａに実際に表示される範囲を示す。【００５３】
この場合、縮小ページ表示部１２Ａに表示される範囲は、白抜き矢印Ａ２で示されるようにユーザによるホイールの回転操作に応じて切り替えられることになる。各縮小ページは、それぞれ異なるWEBページのインスタンスが実行されることによって取得されたHTMLファイルに基づいて生成される。【００５４】
このような表示によっても、ユーザは、ホイールの回転操作を続けるといったリニアな操作で縮小ページの表示を切り替えることができる。また、そのようなリニアな操作でWEBページ表示部１１Ａの表示も切り替えることができる。【００５５】
以上のようにして縮小ページを表示し、WEBページ表示部１１Ａに表示するWEBページを制御するPC１等の処理についてはフローチャートを参照して後述する。【００５６】
図７は、PC１の機能構成例を示すブロック図である。【００５７】
図７に示す機能部のうちの少なくとも一部は、PC１のCPU(Central Processing Unit)によりWEBブラウザと縮小ページ表示用ソフトウエアが実行されることによって実現される。図７に示されるように、PC１においては、検索部５１、縮小ページ表示制御部５２、およびWEBページ表示制御部５３が実現される。【００５８】
検索部５１は、キーボードやマウスを用いて行われるユーザの操作に応じてキーワードを取得し、図示せぬネットワークインタフェースを制御することによって検索サーバ２にアクセスしてWEBページの検索を要求する。検索部５１は、WEBページの検索結果の情報を検索サーバ２から取得し、取得した情報を縮小ページ表示制御部５２、WEBページ表示制御部５３に出力する。【００５９】
縮小ページ表示制御部５２は、検索部５１から供給された情報に基づいて、検索結果のページに含まれる各文字を縮小して縮小ページを生成し、図４に示されるような縮小ページを表示させる。また、縮小ページ表示制御部５２は、カーソルＣを移動させるなどして縮小ページの表示をユーザによる操作に従って制御し、注目対象とする要素を切り替える。縮小ページ表示制御部５２は、注目対象になっている要素の情報をWEBページ表示制御部５３に出力する。【００６０】
WEBページ表示制御部５３は、注目対象になっている要素を縮小ページ表示制御部５２から供給された情報に基づいて特定し、注目対象になっている要素に対してリンクが張られているWEBページを表示するためのHTMLファイルなどの情報をWEBサーバ３から取得する。各要素のリンク先を表すURLなどの情報は、検索部５１から供給された情報に含まれている。また、WEBページ表示制御部５３は、WEBサーバ３から取得した情報に基づいてWEBページをWEBページ表示部１１Ａに表示させ、適宜、WEBページの表示をユーザの操作に応じて制御する。【００６１】
ここで、図８のフローチャートを参照して、以上のような構成を有するPC１を含む図１の通信システムにおいて行われる処理について説明する。【００６２】
ステップＳ１１において、PC１の検索部５１は、ユーザの操作に応じてキーワードを取得し、検索サーバ２にアクセスしてWEBページの検索を要求する。【００６３】
ステップＳ１において、検索サーバ２は、PC１からの要求を受信し、ステップＳ２において、WEBページの検索を行う。ステップＳ３において、検索サーバ２は、タイトル、検索サマリー、URLなどの各WEBページの情報を検索結果としてPC１に送信する。【００６４】
ステップＳ１２において、PC１の検索部５１は、検索結果として検索サーバ２から送信されてきた情報を受信し、受信した情報を縮小ページ表示制御部５２、WEBページ表示制御部５３に出力する。【００６５】
ステップＳ１３において、WEBページ表示制御部５３は、検索部５１から供給された情報に基づいて、WEBページの検索結果をWEBページ表示部１１Ａに表示させる。また、縮小ページ表示制御部５２は、検索結果のページに含まれる各文字を縮小するなどして縮小ページを生成し、縮小ページを縮小ページ表示部１２Ａに表示させる。【００６６】
ステップＳ１４において、縮小ページ表示制御部５２は、検索結果の１個目のWEBページをカーソルＣにより選択させた状態とし、ユーザの操作に応じて、注目する要素を図６および図７を参照して説明したようにして切り替える。注目している要素に関する情報は縮小ページ表示制御部５２からWEBページ表示制御部５３に出力される。【００６７】
ステップＳ１５において、WEBページ表示制御部５３は、WEBサーバ３にアクセスし、注目対象になっているWEBページの情報のダウンロードを要求する。【００６８】
ステップＳ２１において、WEBサーバ３はPC１からの要求を受信し、ステップＳ２２において、要求されたWEBページの情報をPC１に送信する。【００６９】
ステップＳ１６において、PC１のWEBページ表示制御部５３は、WEBサーバ３から送信されてきた情報を受信し、ステップＳ１７において、WEBページをWEBページ表示部１１Ａに表示させる。PC１においては、注目対象とする要素が切り替えられる毎にステップＳ１５乃至Ｓ１７の処理が繰り返される。【００７０】
以上の処理により、ユーザは、WEBページの検索結果の表示の切り替えをリニアな操作感をもって行うことができる。【００７１】
以上においては、縮小ページがWEBブラウザのウインドウと異なるウインドウに表示されるものとしたが、WEBブラウザのフレームに組み込まれて同じウインドウ内に表示されるようにしてもよい。縮小ページ表示用ソフトウエアは、ガジェット、ウィジェットの形で提供されるようにしてもよい。【００７２】
また、以上においては、WEBページの検索結果を表すページの文字を単に縮小させることによって縮小ページが生成されるものとしたが、所定のサーバから送信されてきた情報に基づいて、リンク先が設定されている文字が追加されるなどして縮小ページが生成されるようにしてもよい。【００７３】
ある商品やサービスの広告を掲載するWEBページに対してリンクが張られている文字が追加され、その文字が、検索結果のWEBページのタイトルの文字などとともにユーザによるホイールの回転操作に応じて適宜選択されるようにすることにより、縮小ページに文字を追加させたサーバの管理者は、縮小ページ表示用ソフトウエアを使ってWEBページの閲覧を行っているユーザに対して広告を確実に見せることができる。広告を掲載するWEBページに対してリンクが張られている文字が縮小ページ上で選択され、注目された場合、WEBページ表示部１１Ａには、リンク先である広告を掲載するWEBページが表示され、ユーザはそれを見ることになる。例えば、サーバからPC１に対して送信される制御情報により、追加した文字を選択することが指示される。【００７４】
以上においては、WEBページの検索結果のページが縮小され、表示されるものとしたが、所定のサーバにリンク集のWEBページが用意されており、そのWEBページの情報が取得されるようになされている場合、WEBページの検索結果のページに替えて、リンク集のWEBページが縮小して表示されるようにしてもよい。この場合、リンク先のWEBページのタイトルが縮小ページから選択されることに応じて、そのリンク先のWEBページがWEBページ表示部１１Ａに表示されることになる。【００７５】
縮小ページの表示範囲がマウスのホイールの回転操作に応じて切り替えられるものとしたが、円形のタッチパッドの外周を指先で一定方向に回す操作に応じて切り替えられるようにしてもよいし、指紋認証デバイスがPC１に設けられている場合、指紋認証デバイスを指先でなぞる方向に応じて切り替えられるようにしてもよい。すなわち、所定の方向の操作を続けることで対象を切り替えることが可能な各種の入力装置に対する操作に応じて表示範囲が切り替えられるようにすることが可能である。【００７６】
上述した一連の処理は、ハードウエアにより実行することもできるし、ソフトウエアにより実行することもできる。一連の処理をソフトウエアにより実行する場合には、そのソフトウエアを構成するプログラムが、専用のハードウエアに組み込まれているコンピュータ、または、各種のプログラムをインストールすることで、各種の機能を実行することが可能な汎用のパーソナルコンピュータなどに、プログラム記録媒体からインストールされる。【００７７】
プログラムのインストールは、光ディスクやメモリカードなどのリムーバブルメディアに記録して、あるいは、ローカルエリアネットワーク、インターネット、デジタル放送といった、有線または無線の伝送媒体を介して提供され、パーソナルコンピュータにインストールされる。【００７８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。【００７９】
本発明の実施の形態は、上述した実施の形態に限定されるものではなく、本発明の要旨を逸脱しない範囲において種々の変更が可能である。
【図１】
2009150731.tif 000003
【図２】
2009150731.tif 000004
【図３】
2009150731.tif 000005
【図４】
2009150731.tif 000006
【図５】
2009150731.tif 000007
【図６】
2009150731.tif 000008
【図７】
2009150731.tif 000009
【図８】
2009150731.tif 000010
【手続補正書】
【提出日】平成20年9月18日(2008.9.18)
【手続補正１】
【補正対象書類名】特許請求の範囲
【補正対象項目名】全文
【補正方法】変更
【補正の内容】
【特許請求の範囲】
【請求項１】
ＷＥＢページの表示に用いられるファイルをサーバから取得し、
取得した前記ファイルによって表示されるＷＥＢページを縮小させた縮小ページを上下方向に複数並べて配置し、複数並べて配置した前記縮小ページのうちの一部の範囲を、ＷＥＢページの表示領域である第１の領域と異なる領域である第２の領域に表示させ、
前記第２の領域に表示させた前記縮小ページの一部の範囲に含まれる、リンク先が設定されている複数種類の要素のうちの所定の種類の要素を入力装置に対するユーザの一定方向の操作に応じて順次注目し、注目している要素に対して設定されているリンク先のＷＥＢページを前記第１の領域に順次表示させ、
前記第２の領域に表示させる前記縮小ページの一部の範囲を、ユーザの前記一定方向の操作に応じて注目している要素を含む範囲が表示されるように切り替える
ステップを含む処理をコンピュータに実行させるプログラム。
【請求項２】
上下方向に複数並べて縮小ページを配置させるために用いられるそれぞれの前記ファイルは、ＷＥＢブラウザの異なるインスタンスが実行されることにより取得される
請求項１に記載のプログラム。
【請求項３】
前記入力装置に対するユーザの前記一定方向の操作に応じて注目する要素の種類は、所定のサーバから送信されてきた制御情報により設定される
請求項１または２に記載のプログラム。
【請求項４】
ＷＥＢページの表示に用いられるファイルをサーバから取得する取得手段と、
前記取得手段により取得された前記ファイルによって表示されるＷＥＢページを縮小させた縮小ページを複数上下方向に並べて配置し、複数並べて配置した前記縮小ページのうちの一部の範囲を、ＷＥＢページの表示領域である第１の領域と異なる領域である第２の領域に表示させ、前記第２の領域に表示させた前記縮小ページの一部の範囲に含まれる、リンク先が設定されている複数種類の要素のうちの所定の種類の要素を入力装置に対するユーザの一定方向の操作に応じて順次注目し、注目している要素に対して設定されているリンク先のＷＥＢページを前記第１の領域に順次表示させ、前記第２の領域に表示させる前記縮小ページの一部の範囲を、ユーザの前記一定方向の操作に応じて注目している要素を含む範囲が表示されるように切り替える表示制御手段と
を備える情報処理装置。
【請求項５】
ＷＥＢページの表示に用いられるファイルをサーバから取得し、
取得した前記ファイルによって表示されるＷＥＢページを縮小させた縮小ページを複数上下方向に並べて配置し、複数並べて配置した前記縮小ページのうちの一部の範囲を、ＷＥＢページの表示領域である第１の領域と異なる領域である第２の領域に表示させ、
前記第２の領域に表示させた前記縮小ページの一部の範囲に含まれる、リンク先が設定されている複数種類の要素のうちの所定の種類の要素を入力装置に対するユーザの一定方向の操作に応じて順次注目し、注目している要素に対して設定されているリンク先のＷＥＢページを前記第１の領域に順次表示させ、
前記第２の領域に表示させる前記縮小ページの一部の範囲を、ユーザの前記一定方向の操作に応じて注目している要素を含む範囲が表示されるように切り替える
ステップを含む情報処理方法。
【請求項６】
（削除）
【国際調査報告】
2009150731.tif 000011
2009150731.tif 000012
2009150731.tif 000013